(57)【要約】【課題】複数のサイズに対応する汎用性を有すると共に、取り扱い性や外観を阻害することのない空気入りタイヤの保護用具を提供する。【解決手段】外表面２ａがタイヤビード部Ｂの開口部全周に接すると共に、該開口部からタイヤ空洞部側の内側と外側とにテーパ状又は階段状に延長し、かつ全体として円錐状又は円錐台状に形成された遮蔽部材２を有し、かつ遮蔽部材２をタイヤビード部Ｂに対して着脱自在にしたことを特徴とする。【選択図】図１
2007320387.tif 000002
【特許請求の範囲】
【請求項１】
外表面がタイヤビード部の開口部全周に接すると共に、該開口部からタイヤ空洞部側の内側と外側とにテーパ状又は階段状に延長し、かつ全体として円錐状又は円錐台状に形成された遮蔽部材を有し、かつ該遮蔽部材を前記タイヤビード部に対して着脱自在にした空気入りタイヤの保護用具。
【請求項２】
前記遮蔽部材を一対設け、該一対の遮蔽部材を前記タイヤビード部の左右の両開口部に装着すると共に、相互間を着脱自在に連結した請求項１に記載の空気入りタイヤの保護用具。
【請求項３】
前記一対の遮蔽部材間を相互間距離が調節可能な固定具で連結した請求項２に記載の空気入りタイヤの保護用具。
【請求項４】
前記遮蔽部材を紫外線遮断性を有する光透過性材料で構成した請求項１〜３のいずれかに記載の空気入りタイヤの保護用具。
【請求項５】
前記外表面がタイヤ空洞部側に延長する部分に乾燥剤を配置した請求項１〜４のいずれかに記載の空気入りタイヤの保護用具。
【発明の詳細な説明】
【技術分野】
【０００１】
本発明は、空気入りタイヤの保護用具に関し、さらに詳しくは、空気入りタイヤの空洞部に内設された部品を外部環境から保護するようにした空気入りタイヤの保護用具に関する。
【背景技術】
【０００２】
近年、空気入りタイヤには、タイヤ騒音を防止するためポリウレタンフォームなどの吸音材を空洞部に内設したものや、また耐久性の維持のため温度センサーなどの電子機器を空洞部に備えたものが開発されている。しかし、これらの内設部品は水が浸漬したり、紫外線に晒されたりすると劣化するものがあるため、タイヤの販売店などで、これらの部品を内設した空気入りタイヤが屋外で展示されたりすると、雨水や紫外線に侵される危険性がある。
【０００３】
このため、特許文献１は、空気入りタイヤ全体を袋又は箱に収容したり、ビード部を円盤又は円筒で塞ぐことを提案している。しかし、これらの保護手段は、前者については空気入りタイヤの運搬や保管時の取り扱い性及び展示するときの外観及び宣伝効果が悪く、また後者についてはタイヤサイズ毎に異なる大きさのものを多数準備する必要があった。
【特許文献１】国際公開第２００３／１０３９８９号パンフレット
【発明の開示】
【発明が解決しようとする課題】
【０００４】
本発明の目的は、複数のサイズに対応する汎用性を有すると共に、取り扱い性や外観を阻害することのない空気入りタイヤの保護用具を提供することにある。
【課題を解決するための手段】
【０００５】
上記目的を達成するための本発明の空気入りタイヤの保護用具は、外表面がタイヤビード部の開口部全周に接すると共に、該開口部からタイヤ空洞部側の内側と外側とにテーパ状又は階段状に延長し、かつ全体として円錐状又は円錐台状に形成された遮蔽部材を有し、かつ該遮蔽部材を前記タイヤビード部に対して着脱自在にしたことを特徴とする。
【発明の効果】
【０００６】
本発明の空気入りタイヤの保護用具は、全体として円錐又は円錐台の形状をしたテーパ状又は階段状の外表面を有する遮蔽部材によりタイヤビード部の開口部を閉塞するため、取り扱い性や外観に支障なく雨水等の侵入を防止することができ、外表面をテーパ状又は階段状に形成しているので、複数のタイヤサイズの空気入りタイヤに適用できる汎用性を有する。
【発明を実施するための最良の形態】
【０００７】
図１は、本発明の保護用具を空気入りタイヤに取付けた一例を示す説明図である。
【０００８】
空気入りタイヤの保護用具１は、円錐台の形状をしたテーパ状の外表面２ａを有する遮蔽部材２と、先端の円筒部３とから一体に形成されている。この保護用具１は、水平に横置きされた空気入りタイヤＴの上部側のビード部Ｂの開口部に遮蔽部材２を下側に向けて挿入し、外表面２ａの斜面途中を開口部の全周に接するようにして載置されている。このため、空気入りタイヤＴのビード部Ｂの開口部が閉塞され、空洞部へ雨水や紫外線が侵入しないので、空洞部内に装備された吸音材１０が水濡れしたり、紫外線に侵されるのを防止することができる。また、外表面２ａがテーパ状で、ビード部Ｂの開口部に対する接点から空洞部側の内側と外側とに遮断するように延長しているので、複数のタイヤサイズのビード部に対して接点を変えるだけで開口部を閉塞することができる。
【０００９】
このように横置きの空気入りタイヤに対しては、保護用具１を上面側のビード部の開口部に置くだけで雨水等の侵入を防ぐことができる。また、タイヤを横置きに多段に積み重ねた場合にも、最上段の空気入りタイヤに対し保護用具１を置くだけで下段側のすべてのタイヤを保護することができる。
【００１０】
図２は、本発明の保護用具の他の実施形態を示す。保護用具１は、左右一対の遮蔽部材２Ａ、２Ｂからなる。一方の遮蔽部材２Ａは、円筒部３Ａにオネジを有し、他方の遮蔽部材２Ｂは円筒部３Ｂにメネジを有し、円筒部３Ａ、３Ｂが互いに螺合するようになっている。
【００１１】
この保護用具１は、図３のように、縦置きの空気入りタイヤＴに対して、左右両側のビード部Ｂに両側から挟みつけるようにして相互間を着脱可能に連結する。そうすると左右一対の遮蔽部材２Ａ、２Ｂが両側のビード部開口部の全周に接し閉塞するため外部から雨水等の侵入を防止することができる。円筒部３Ａ及び３Ｂを螺合するように構成することにより、遮蔽部材２Ａ、２Ｂの相互間距離が調節可能になり、タイヤサイズ、タイヤ幅が異なる複数の空気入りタイヤに対して着脱自在に装備することができる。
【００１２】
図４は、保護用具１の更に他の実施形態を示す。この実施形態では、遮蔽部材２Ａ、２Ｂの外表面をテーパ面に代えて階段状に形成している。遮蔽部材の外表面を階段状にすることにより、適用可能なビード部の内径は限定されるが、ビード部の位置ずれ等をなくしてビード部開口部を確実に閉塞することができる。
【００１３】
図６は、保護用具１の更に他の実施形態を示す。この実施形態では、保護用具１の内部に固定具４を挿入して空気入りタイヤＴに装備するようにしている。固定具４は、図５のように、フランジ部５と、円筒部６Ａ、６Ｂと、取っ手部７とから構成され、フランジ部５を保護用具１の円筒部３Ａ及び３Ｂの外側端部の端面に当接させるようにしながら対向する円筒部６Ａ、６Ｂを螺合して固定するようにしている。固定具４を用いることにより、一対の遮蔽部材間を相互間距離が調節可能に連結することができる。また、取っ手部７を備えることにより、空気入りタイヤに装着したときの運搬が容易になる。
【００１４】
本発明の保護用具１は、遮蔽部材を紫外線遮断性を有する光透過性材料で構成するとよい。販売店等において展示するときに、遮蔽部材を通して電子機器や防音材を内設した空気入りタイヤの内部を透視できるので、そのタイヤが有する機能を宣伝することができる。また、透明又は半透明な光透過性材料は、紫外線遮断性を有することが好ましく、タイヤの内部に装備した発泡性ウレタンフォーム等が紫外線により光劣化するのを防止することができる。このような材料は、紫外線吸収剤を添加した透明又は半透明のプラスチックから適宜選択して使用することができる。又は、保護用具１を光透過性材料により成形しその表面に紫外線吸収剤を添加したプラスチック製の透明又は半透明フィルムを貼り付けてもよい。なお、紫外線遮断性とは、波長１９０〜３７０ｎｍの光を、透過させる率が３．０％以下であることをいう。
【００１５】
保護用具１は、外表面がタイヤ空洞部側に延長する部分に、乾燥剤を配置することが好ましい。例えば、タイヤ空洞部内の外表面又は円筒部の外周に乾燥剤の粒状体を吹き付けるようにしてもよいし、乾燥剤を塗布してもよい。或いはこれら外周面に乾燥剤を収容する容器を配置してもよい。空気入りタイヤの空洞部に延長される保護用具の外表面に乾燥剤を配置することにより、タイヤ空洞部内の湿気を除去し、電子機器や発泡性ウレタンフォーム等の水分からの保護を確実にすることができる。
【００１６】
保護用具１は、文字記号等の表示部を有することが好ましい。文字記号等の表示部は、空気入りタイヤに装着したときに視認可能な位置に設けるとよく、例えば、遮蔽部材の外表面のタイヤ軸方向外側に表示部を設けてもよいし、遮蔽部材の外側端部の縁に沿ってドーナツ状板を連結して表示部にしてもよい。また、紫外線遮断性を有するフィルムに表示部を形成し貼り付けるようにしてもよい。このような表示部を備えることにより、文字記号等を印字して、その空気入りタイヤが内設する機能を宣伝することができる。
【図面の簡単な説明】
【００１７】
【図１】本発明の保護用具を空気入りタイヤに載置した実施形態の例を示すタイヤ子午線方向の断面図である。
【図２】本発明の空気入りタイヤの保護用具の一例を示す説明図である。
【図３】図２の保護用具を空気入りタイヤに装着した実施形態の例を示すタイヤ子午線方向の断面図である。
【図４】本発明の空気入りタイヤの保護用具の他の実施形態の例を示す断面図である。
【図５】本発明の保護用具に使用する固定具の一例を示す説明図である。
【図６】本発明の空気入りタイヤの保護用具の更に他の実施形態の例を示す断面図である。
【符号の説明】
【００１８】
１      保護用具
２      遮蔽部材
２ａ    外表面
４      固定具
Ｂ      タイヤビード部
Ｔ      空気入りタイヤ
【図１】
2007320387.tif 000003
【図２】
2007320387.tif 000004
【図３】
2007320387.tif 000005
【図４】
2007320387.tif 000006
【図５】
2007320387.tif 000007
【図６】
2007320387.tif 000008